(57)【要約】【課題】  本発明は、位置検出が容易な履物を提供することを目的とする。【解決手段】  履物Ａは、ＧＰＳ携帯端末４と、このＧＰＳ携帯端末４を収納する開閉自在な蓋５１を有する箱５と、底１のかかと部分に空所１１を設け、この空所１１は上部を開口した開口部を有し、この開口部を開閉するように中敷き２が位置し、ＧＰＳ携帯端末４を収納した箱５が空所１１に収められているものである。【選択図】    図１
2006223480.tif 000002
【特許請求の範囲】
【請求項１】
底のかかと部分にＧＰＳ携帯端末を内蔵することを特徴とする履物。
【請求項２】
ＧＰＳ携帯端末と、
このＧＰＳ携帯端末を収納する開閉自在な蓋を有する箱と、
底のかかと部分に空所を設け、この空所は上部を開口した開口部を有し、この開口部を開閉するように中敷きが位置し、
前記ＧＰＳ携帯端末を収納した箱が前記空所に収められていることを特徴とする履物。
【請求項３】
足の甲部を覆うアッパーと、
底の上方の外周全体に亘って設けられた立ち上がり壁と、
この立ち上がり壁の外周と前記アッパーの端部の外周に全体に亘って対向すると共に、対向した前記立ち上がり壁及び前記アッパーの端部に縫い付けられ、夜間、車両のライトを反射する反射テープと、
を備えていることを特徴とする請求項１又は 請求項２記載の履物。
【発明の詳細な説明】
【技術分野】
【０００１】
本発明は、履物に係り、特に、位置検出が容易な履物に関する。
【背景技術】
【０００２】
近時、徘徊老人が社会問題化しつつあり、家庭、病院等において、注意をしていても何らかの理由により、抜け出し、周囲に迷惑をかけるという問題が生じている。
【発明の開示】
【発明が解決しようとする課題】
【０００３】
本発明は、上記の問題を除去するようにした履物を提供することを目的とする。
【課題を解決するための手段】
【０００４】
請求項１記載の履物は、底のかかと部分にＧＰＳ携帯端末を内蔵するものである。
【０００５】
また、請求項２記載の履物は、ＧＰＳ携帯端末と、このＧＰＳ携帯端末を収納する開閉自在な蓋を有する箱と、底のかかと部分に空所を設け、この空所は上部を開口した開口部を有し、この開口部を開閉するように中敷きが位置し、前記ＧＰＳ携帯端末を収納した箱が前記空所に収められているものである。
【０００６】
また、請求項３記載の履物は、請求項１又は２記載の履物において、足の甲部を覆うアッパーと、底の上方の外周全体に亘って設けられた立ち上がり壁と、この立ち上がり壁の外周と前記アッパーの端部の外周に全体に亘って対向すると共に、対向した前記立ち上がり壁及び前記アッパーの端部に縫い付けられ、夜間、車両のライトを反射する反射テープとを備えているものである。
【発明の効果】
【０００７】
請求項１記載の履物によれば、ＧＰＳ携帯端末を底のかかと部分に内蔵しているため、
内蔵部位に場所をとらず、しかも、位置を容易に検出することができ、特に、痴呆老人の履物に使用すれば、その効果は顕著である。
【０００８】
また、請求項２記載の履物によれば、前述した請求項１記載の発明の効果に加え、底のかかと部分に位置するＧＰＳ携帯端末は箱により保護され、ＧＰＳ携帯端末に充電した
いときには、開口部が外方に臨むように中敷きを取り除ければ、ＧＰＳ携帯端末を収納する開閉自在な箱を取り出し、ＧＰＳ携帯端末に充電をすることができる。
【０００９】
また、請求項３記載の履物によれば、前述した請求項１又は２記載の発明の効果に加え、立ち上がり壁、アッパーの下縁周囲を反射テープを介して縫製により一体化するため、特に、接着剤による接着が困難な反射テープを取り付けることができ、しかも、アッパーの下縁周囲全体に亘って設けた反射テープが夜間、車両のライトに反射して、危険防止をも図ることができる。
【発明を実施するための最良の形態】
【００１０】
本発明の一実施例を図面を参照して説明する。Ａは履物で、履物Ａは、概略的に、底１と、中敷き２と、アッパー（履物の底より上方の、足の甲部を覆う部分の総称）３とから構成されている。
底１は、例えば、中敷き２に比べ硬く、厚みが約２５ｍｍのウレタン樹脂で形成されている。また、中敷き２は、例えば、底１に比べ柔らかく、厚みが約７ｍｍ〜１０ｍｍのウレタンで形成されている。また、アッパー３に形成された履き口には、図２に示すように、舌部がなく、履き口を広くして履きやすいようにしてある。履き口の内側に内羽根３１が、外側に外羽根３２が、内羽根３１の裏面には、係止用の第１の面状ファスナー３３が、外羽根３２の表面には、係止用の第２の面状ファスナー３４が、それぞれ設けられ、第１の面状ファスナー３３と第２の面状ファスナー３４が係止するようになっている。３５は指を掛かける指掛け部で、指掛け部３５は、内羽根３１の表面に設けられている。
【００１１】
４はＧＰＳ携帯端末で、ＧＰＳ携帯端末４は、例えば、ＧＰＳアンテナ（図示せず）と、ＧＰＳ受信部（図示せず）と、電池、整流回路等を制御する制御部（図示せず）と、データ通信送信部（図示せず）と、データ通信用アンテナ（図示せず）とから構成され、底１のかかと部分に内蔵され、ＧＰＳアンテナ（図示せず）によって受信した衛星位置情報は、ＧＰＳ携帯端末４の制御部（図示せず）によって徘徊者の位置である徘徊者位置情報が計算され、データ通信送信部（図示せず）、データ通信用アンテナ（図示せず）を介して送信されるようになっている。
このように、本発明の履物Aは、ＧＰＳ携帯端末４を底１のかかと部分に内蔵しているため、内蔵部位に場所をとらず、しかも、位置を容易に検出することができ、特に、痴呆老人の履物に使用すれば、その効果は顕著である。なお、このＧＰＳ携帯端末４は、開閉自在な箱５内に収納されている。
【００１２】
１１は底１のかかと部分に設けられた空所で、この空所１１は上部を開口した開口部１１ａを有し、この開口部１１ａを開閉するように中敷き２が位置するようになっている（図６及び図７参照）。空所１１には箱５が収められるようになっており、５１は開閉自在な蓋である。
従って、箱５はＧＰＳ携帯端末４を保護すると共に、空所１１により強度的に弱くなった底１のかかと部分を補強するものであり、ＧＰＳ携帯端末４に充電したいときには、開口部１１ａが外方に臨むように中敷き２を取り除き、蓋５１をあけて、ＧＰＳ携帯端末４を取り出し、ＧＰＳ携帯端末４に充電をすることができる。なお、中敷き２は、比較的厚く、また、底１に比べ柔らかいため、歩行サイクルで加わる箱５への衝撃を和らげることができる。
【００１３】
１２は、底１の上方の外周全体に亘って設けられた立ち上がり壁で（図４及び図５参照）、６は夜間、車両のライトを反射する反射テープで、この反射テープ６は、立ち上がり壁１２の外周とアッパー３の端部の外周に全体に亘って対向すると共に、対向した立ち上がり壁１２及びアッパー３の端部に縫い付けられている（図１により隠れている部分にも反射テープ６は設けられている。）。
なお、「アッパーの下縁をボール紙芯の中底 と本底の間に接着剤を使って接着する」所謂セメント式においては、接着剤による接着が困難な反射テープを底部材とアッパーとの間に介在させることは、困難であるが、本実施例のように、反射テープ６の長手方向の一端を該長手方向の全体に亘って立ち上がり壁１２に縫い付けると共に、反射テープ６の長手方向の他端を該長手方向の全体に亘ってアッパー３の端部に縫い付けて、反射テープ６を介して底１にアッパー３を取り付けることができる。
その結果、特に、接着剤による接着が困難な反射テープ６を取り付けることができ、しかも、アッパー３の下縁周囲全体に亘って設けた反射テープ６が夜間、車両のライトに反射して、危険防止をも図ることができることとなる。更に、空所１１を形成する際、履物が上記したセメント式の場合、ボール紙芯の中底をも切除しなければならないが、本実施例の履物Aにあっては、底１のかかと部分の一部を空所とすれば良い。
【図面の簡単な説明】
【００１４】
【図１】図１は、本発明の一実施例の履物の概略的斜視図である。
【図２】図２は、図１の履物の外羽根と内羽根とを広げた状態の概略的斜視図である。
【図３】図３は、図１の履物の概略的側面図である。
【図４】図４は、図３のX−X線による概略的断面図である。
【図５】図５は、図３のY−Y線による概略的断面図である。
【図６】図６は、図１の履物の概略的断面図である。
【図７】図７は、図６の履物を分解的に示す概略的分解断面図である。
【符号の説明】
【００１５】
Ａ  履物
１  底
２  中敷き
４  ＧＰＳ携帯端末
５  箱
１１  空所
【図１】
2006223480.tif 000003
【図２】
2006223480.tif 000004
【図３】
2006223480.tif 000005
【図４】
2006223480.tif 000006
【図５】
2006223480.tif 000007
【図６】
2006223480.tif 000008
【図７】
2006223480.tif 000009